(57)【要約】      （修正有）【課題】作業中に庇部が他の作業者や製品、部品、材料にぶつかっても相手を傷付けることがなく、物が落ちてきて庇部に当たってもヘルメットが脱げる恐れがなく、更に狭い作業空間に進入する際に庇部が邪魔にならないソフトバイザー付きヘルメットを提供する。【解決手段】帽体１の少なくとも前側縁部を含む周縁部の一部又は全部に庇部２を突出させて一体化した樹脂製ヘルメットにおいて、庇部の動的粘弾性測定による０℃〜５０℃における弾性率の値が、１×１０6〜４×１０8Ｐａの範囲である。【選択図】図１
0003154753.tif 000002
【実用新案登録請求の範囲】
【請求項１】
帽体の少なくとも前側縁部を含む周縁部の一部又は全部に庇部を突出させて一体化した樹脂製ヘルメットにおいて、前記庇部の動的粘弾性測定による０℃〜５０℃における弾性率の値が、１×１０6〜４×１０8Ｐａの範囲であることを特徴とするソフトバイザー付きヘルメット。
【請求項２】
帽体の周縁部で前記庇部を設ける位置の一部又は全部に、前記帽体と同材質の短い補助庇部を一体形成し、前記庇部を該補助庇部に基部が重なるように設けてなる請求項１記載のソフトバイザー付きヘルメット。
【請求項３】
予め成形した不透明又は透明の前記庇部を帽体の成形金型内に保持し、帽体を射出成形して帽体と庇部を一体化する請求項１又は２記載のソフトバイザー付きヘルメット。
【請求項４】
前記帽体と不透明又は透明の前記庇部とを別々に成形し、接合部を凹凸嵌合して帽体と庇部を一体化する請求項１又は２記載のソフトバイザー付きヘルメット。
【考案の詳細な説明】
【技術分野】
【０００１】
本考案は、ソフトバイザー付きヘルメットに係わり、更に詳しくは帽体の前側に可撓性の庇部を備えたソフトバイザー付きヘルメットに関するものである。
【背景技術】
【０００２】
従来から、産業用に用いるヘルメットは、外殻体である帽体内側にハンモック及びヘッドバンド、あるいは衝撃吸収ライナー及びヘッドバンドの組合せからなる内装具が設けられ、着用者の頭部が帽体の内側に直接接触することがないように保持し、帽体に外力が加わった場合にも、その衝撃を緩和し、着用者の頭部を保護するようにしている。また、ヘルメットの帽体の前側には庇部を円弧状に突出させて設け、直射日光から目を保護し、あるいは雨粒や落下物から顔面を保護している。
【０００３】
特許文献１には、帽体の前端縁部分に視界を広げるために透明の庇部を一体的に接合したヘルメットにおいて、前記庇部の取付強度を高める目的で、前記庇部の接合部に接合片を形成して、前記帽体の前端縁部分により該接合片を両側面から挟着状態で接合するか、あるいは前記帽体の前端縁部分に前記接合片の一側面を重ねた状態で接合するとともに、前記帽体の両側部から前方に突起部を延設して、前記前端縁部分の両側部との間で凹部を形成し、該凹部に庇部の両端部を嵌合状態で接合する構造が開示されている。ここで、前記庇部を帽体に接合するために、帽体の成形金型内に予め成形しておいた庇部をセットして射出成形する、いわゆるインサート成形を用いている。
【０００４】
また、特許文献２では、庇部の帽体への取付強度を特許文献１よりも更に高めるとともに、庇部の傷付きや破損を防止して透明性を維持する目的で、略半球状の帽体の前部側に、前方に向けて突出する略透明の庇部を備えたヘルメットであって、前記庇部は、前記帽体の両側部側から延びる外周枠部によって略透明の庇本体が全周を囲われて接合されている構造が開示されている。更に、前記庇本体の外周側には、断面略Ｌ字状に屈曲した屈曲部が形成されており、該屈曲部が、前記外周枠部及び前記前部に埋設されつつ接合されている。
【０００５】
そして、特許文献３には、帽体の前側に裾広がりの庇を形成する前側庇部と、前記帽体の後側に裾広がりの庇を形成する後側庇部とを備えた薄肉状の屈曲自在な板状部材からなる補助庇を、前記帽体の外周部に着脱可能に取付けたヘルメットが開示されている。
【先行技術文献】
【特許文献】
【０００６】
【特許文献１】特許第２９８４６９９号公報
【特許文献２】特開２００７−３０３０２３号公報
【特許文献３】実用新案登録第３００２４６９号公報
【考案の概要】
【考案が解決しようとする課題】
【０００７】
特許文献１，２に記載された透明又は略透明な庇部を始め、帽体の前側に設けられた従来の庇部は、ヘルメットの一部として認識されており、帽体と同じ材質若しくは異質材であっても硬く衝撃に強い樹脂材料を用いて作製されていた。しかしながら、硬い庇部を有するヘルメットは、作業中に庇部が他の作業者や製品、部品、材料にぶつかって相手を傷付けたり、物が落ちてきて庇部に当たるとヘルメットが脱げる恐れがあり、更に狭い作業空間に進入する際に庇部がつかえて進入できないといった課題がある。
【０００８】
そこで、本考案が前述の状況に鑑み、解決しようとするところは、庇部を柔らかくすることにより、作業中に庇部が他の作業者や製品、部品、材料にぶつかっても相手を傷付けることがなく、物が落ちてきて庇部に当たってもヘルメットが脱げる恐れがなく、更に狭い作業空間に進入する際に庇部が邪魔にならないソフトバイザー付きヘルメットを提供する点にある。
【課題を解決するための手段】
【０００９】
本考案は、前述の課題解決のために、帽体の前側縁部に庇部を円弧状に突出させて一体化した樹脂製ヘルメットにおいて、前記庇部の動的粘弾性測定による０℃〜５０℃における弾性率の値が、１×１０6〜４×１０8Ｐａの範囲であることを特徴とするソフトバイザー付きヘルメットを構成した（請求項１）。
【００１０】
また、帽体の周縁部で前記庇部を設ける位置の一部又は全部に、前記帽体と同材質の短い補助庇部を一体形成し、前記庇部を該補助庇部に基部が重なるように設けてなることも好ましい（請求項２）。
【００１１】
ここで、予め成形した不透明又は透明の前記庇部を帽体の成形金型内に保持し、帽体を射出成形して帽体と庇部を一体化することが好ましい（請求項３）。
【００１２】
また、前記帽体と不透明又は透明の前記庇部とを別々に成形し、接合部を凹凸嵌合して帽体と庇部を一体化することも好ましい（請求項４）。
【考案の効果】
【００１３】
以上にしてなる請求項１に係る考案のソフトバイザー付きヘルメットは、帽体の少なくとも前側縁部を含む周縁部の一部又は全部に庇部を突出させて一体化した樹脂製ヘルメットにおいて、前記庇部の動的粘弾性測定による０℃〜５０℃における弾性率の値が、１×１０6〜４×１０8Ｐａの範囲であるので、庇部が十分な柔軟性と適度な保形性を備え、作業中に庇部が他の作業者や製品、部品、材料にぶつかっても衝撃を吸収するので、相手を傷付けることがなく、物が落ちてきて庇部に当たっても庇部が変形して帽体に対する回転モーメントが小さくなるので、ヘルメットが脱げる恐れがなく、更に狭い作業空間に進入する際に庇部が変形して障害物を回避するので、邪魔にならないのである。
【００１４】
請求項２によれば、帽体の周縁部で前記庇部を設ける位置の一部又は全部に、前記帽体と同材質の短い補助庇部を一体形成し、前記庇部を該補助庇部に基部が重なるように設けてなるので、庇部の帽体に対する取付強度が増し、また庇部が柔軟性を有していてもその基部を、帽体と同材質で成形した短い補助庇部によって形状が保持されるので、型崩れがしない。
【００１５】
請求項３によれば、予め成形した不透明又は透明の前記庇部を帽体の成形金型内に保持し、帽体を射出成形して帽体と庇部を一体化するので、帽体に対する庇部の接合強度が高く、製造も比較的容易であり、庇部が不透明の場合には直射日光や照明を遮って眩しさを抑制するといった本来の機能を備え、また庇部が透明である場合には視界を広くすることができるといった効果を奏する。
【００１６】
請求項４によれば、前記帽体と不透明又は透明の前記庇部とを別々に成形し、接合部を凹凸嵌合して帽体と庇部を一体化してなるので、帽体と庇部の成形が容易であり、嵌合作業のみで接合して一体化することができ、また庇部が損傷しても容易に交換することができる。前記同様に、庇部が不透明の場合には直射日光や照明を遮って眩しさを抑制するといった本来の機能を備え、また庇部が透明である場合には視界を広くすることができるといった効果を奏する。
【図面の簡単な説明】
【００１７】
【図１】本考案のソフトバイザー付きヘルメットの斜視図である。
【図２】帽体と庇部を分離した状態の参考斜視図である。
【図３】帽体と庇部を分離した状態の参考断面図である。
【図４】ソフトバイザー付きヘルメットの平面図である。
【図５】ソフトバイザー付きヘルメットの正面図である。
【考案を実施するための形態】
【００１８】
次に、添付図面に示した実施形態に基づき、本考案を更に詳細に説明する。図１は本考案に係るソフトバイザー付きヘルメットを示し、図２及び図３は帽体と庇部を分離した状態を示し、図中符号１は帽体、２は庇部、３は保持縁、４は補強片、５は補強縁をそれぞれ示している。
【００１９】
本考案のソフトバイザー付きヘルメットは、帽体１の少なくとも前側縁部を含む周縁部の一部又は全部に庇部２を突出させて一体化した樹脂製ヘルメットにおいて、前記庇部２の動的粘弾性測定による０℃〜５０℃における弾性率の値を、１×１０6〜４×１０8Ｐａの範囲とし、前記庇部２に十分な柔軟性と適度な保形性を備えさせたものである。ここで、前記庇部２を不透明とし、直射日光や照明を遮って目を保護し、又は前記庇部２を透明として視界を広げることが可能であり、目的に応じて選択し得る。
【００２０】
また、図示しないが、前記帽体１の周縁部で前記庇部２を設ける位置の一部又は全部に、前記帽体１と同材質の短い補助庇部を一体形成し、前記庇部２を該補助庇部に基部が重なるように設けることにより、庇部２の取付強度を高め、また柔軟性の高い庇部２の形状を維持することも可能である。
【００２１】
ヘルメットを製造するには、先ず前記庇部２を柔軟性の高い熱可塑性エラストマーで成形し、この庇部２を帽体１の成形金型内に保持し、帽体１を従来通りの硬く強度の高い熱可塑性樹脂で射出成形し、いわゆるインサート成形し、成形によって帽体１と庇部２を一体化するのである。又は、前記帽体１と庇部２を別々に成形しておき、接合部を凹凸嵌合して一体化することも可能である。凹凸嵌合によって前記帽体１と庇部２を一体化する場合、接合部に接着剤を塗布する接着手段を併用することもある。
【００２２】
ここで、前記帽体１の材質としては、ＰＣ（ポリカーボネート）、ＡＢＳ樹脂（アクリロニトリルブタジエンスチレン共重合体、ＰＥ（ポリエチレン）、ＰＰ（ポリプロピレン）等を用い、無機充填材を添加して強度を高めることも好ましい。また、前記庇部２の材質は、動的粘弾性測定による０℃〜５０℃における弾性率の値が１×１０6〜４×１０8Ｐａの範囲の熱可塑性エラストマー等の軟質樹脂を用いる。
【００２３】
本実施形態では、インサート成形によって前記帽体１と庇部２を一体化する場合を、図１〜図５に基づいて、更に詳しく説明する。前記庇部２は、平面視略三日月形で、前側が円弧状に湾曲し、後側が前記帽体１の前面縁部の形状に合わせて凹部６を形成した外形状であり、両側縁部に前部から後部にかけて肉厚を漸増した保持縁３，３を形成している。本考案では前記庇部２は、非常に柔軟性があり、薄くすると自重で撓んで変形するので、両側縁部に保形性を高めるために前記保持縁３，３を形成したのである。また、前記庇部２の中央部には、前記凹部６から前方へ段部７，７を形成し、該庇部２の基部の曲げ強度を高めている。前記段部７はリブでも構わない。
【００２４】
一方、前記帽体１は、半球状の殻体であり、前側縁部の両側部から補強片４，４を前方へ突出している。そして、インサート成形することにより、前記庇部２の保持縁３，３に、前記帽体１の補強片４，４を連続して一体化するのである。更に、前記帽体１は、前記庇部２を接合する前縁を除く周縁部に沿って断面略Ｕ字形の補強縁５を形成し、該補強縁５の両周端部に前記補強片４，４が連続して形成されている。それにより、前記補強縁５によって帽体１の強度を高め、補強縁５と補強片４，４が連続しているので意匠性において帽体１と庇部２とが一体的に統一されるとともに、帽体１と庇部２の接合部において曲げ強度の不連続性を小さくすることができ、庇部２に繰り返し変形が生じても応力の集中が少ないので耐久性が向上するのである。尚、前記補強片４，４の代わりに、前記帽体１の周縁部で前記庇部２を設ける位置の一部又は全部に、前記帽体１と同材質の短い補助庇部を一体形成しても良い。また、前記帽体１の内部で下縁に沿って、図示しないハンモック及びヘッドバンド等の内装具を取付けるための取付部８を複数突設している。
【００２５】
このように、前記庇部２の両側縁部に、前部から後部にかけて肉厚を漸増した保持縁３，３を形成し、該保持縁３，３に、前記帽体１の前側縁部の両側部から前方へ突出した補強片４，４を連続して一体化してなるので、庇部２が柔軟性があっても庇部２の形状を保持することができるとともに、帽体１に対する庇部２の接合強度を更に高めることができる。
【００２６】
前記帽体１は、従来と同様の硬さと強度を有するものであるが、本考案では帽体１の前側に突出させて設けた庇部２が従来にない柔軟性を有することが特徴である。この庇部２に落下物が当たると、該庇部２が下方へ変形し、落下物による衝撃と運動エネルギーが帽体１へ伝達するのを防止するので、帽体１に加わる回転モーメントが小さくなり、ヘルメットが頭から外れることがない。また、前記庇部２が、作業中に他の作業者や製品、部品、材料にぶつかっても衝撃を吸収するので、相手を傷付けることがないのである。更に、狭所作業の際、庇部２が邪魔で進入できない現場でも、柔らかい庇部２を丸めて進入することが可能となる。勿論、通常の状態では、前記庇部２は元の形状を保っている。
【符号の説明】
【００２７】
１  帽体、
２  庇部、
３  保持縁、
４  補強片、
５  補強縁、
６  凹部、
７  段部、
８  取付部。
【図１】
0003154753.tif 000003
【図２】
0003154753.tif 000004
【図３】
0003154753.tif 000005
【図４】
0003154753.tif 000006
【図５】
0003154753.tif 000007